(57)【要約】      （修正有）【課題】低コストでヒーターの脱落がないパラボラアンテナを提供する。【解決手段】パラボラアンテナ本体１１と、パラボラアンテナ本体の反射板１２を加熱する水棲動物用のヒーター４０と、アンテナマスト１９から反射板の背面中央にヒーターが位置するように固定する固定手段２０と、を備え、ヒーターは、第一のガラス管内に密閉された発熱手段と、第二のガラス管内の先端部で発熱手段の温度を検知する温度検知手段と、金属箔で覆われた第二のガラス管の胴部で温度検知手段からの検知信号に基づいて発熱手段の温度を制御する温度制御手段と、第一と第二のガラス管とが平行になるように保持する基部と、複数の開口部が形成され、第一と第二のガラス管とを基部から先端部まで覆う、開閉自在な筐体と、を有する。【選択図】図１
0003206129.tif 000002
【実用新案登録請求の範囲】
【請求項１】
アンテナマストに固定されるパラボラアンテナ本体と、
前記パラボラアンテナ本体の反射板を加熱する水棲動物用のヒーターと、
前記アンテナマストから前記反射板の背面中央に前記ヒーターが位置するように固定する固定手段と、を備えたパラボラアンテナであって、
前記ヒーターは、
第一のガラス管内に密閉された発熱手段と、
第二のガラス管内の先端部で前記発熱手段の温度を検知する温度検知手段と、
金属箔で覆われた前記第二のガラス管の胴部で前記温度検知手段からの検知信号に基づいて前記発熱手段の温度を制御する温度制御手段と、
前記第一のガラス管と前記第二のガラス管とが平行になるように保持する基部と、
複数の開口部が形成され、前記第一のガラス管と前記第二のガラス管とを前記基部から先端部まで覆う、開閉自在な筐体と、を有し、
前記固定手段は、
湾曲部の内径が前記アンテナマストの外径に等しく、前記Ｕボルトの前記湾曲部で前記アンテナマストを挟むように配置されるＵボルトと、
一対の開口部が前記Ｕボルトの両ネジ部を貫通するように配置される楕円プレートと、
前記楕円プレートを前記アンテナマストに固定するナットと、
少なくとも四隅に貫通孔が形成され、前記Ｕボルトの両ネジ部が一方の辺側の貫通孔を貫通した状態でナットによって固定され、前記ヒーターの筐体を、前記第一のガラス管と前記第二のガラス管とが水平になるように他方の辺側の貫通孔を貫通した状態で前記筐体にナットによって固定される矩形プレートと、
を有することを特徴とするパラボラアンテナ。
【請求項２】
前記ナット及び前記ボルトはワッシャもしくはスプリングワッシャを用いて前記ネジ部に固定され、前記筐体は樹脂からなることを特徴とする請求項１は記載のパラボラアンテナ。
【考案の詳細な説明】
【技術分野】
【０００１】
本考案は、パラボラアンテナに関する。
【背景技術】
【０００２】
BS（Broadcast Satellite：放送衛星）放送やCS（Communication Satellite：通信衛星）放送等の視聴にはパラボラアンテナが多用されている。
パラボラアンテナの種類としては、以下のオフセットタイプ、センターフィールドタイプ、メッシュタイプ、及びオフセットグレゴリアンテナの四種のパラボラアンテナが挙げられる。
【０００３】
(1)  オフセットタイプ
現在使用されているパラボラアンテナは、ほとんどがこのタイプであり、楕円形の反射板で電波を反射してコンバータに導く構造を有する。
【０００４】
(2)  センターフィールドタイプ
円形反射板の中心にコンバータを有するタイプであり、ピンポイントで衛星を狙う必要があり、調整が難しく、落雷を誘発するおそれがある。
【０００５】
(3)  メッシュタイプ
反射板が金属メッシュで構成され、融雪ヒーターを装着でき、方向や仰角を変えるローターを付けることができる。
【０００６】
(4)  オフセットグレゴリアンテナ
主反射板の前に副反射板が配置され、主に放送局から通信衛星への送信や電波望遠鏡に用いられる。
【０００７】
本考案では(1)のオフセットタイプのパラボラアンテナについて述べる。
図１３は、オフセットタイプのパラボラアンテナ11aの一例を示す側面図であり、図１４は、図１３に示したパラボラアンテナ11aに積雪が生じた場合の側面図である。
パラボラアンテナ11aは、反射板12a、コンバータ（一次放射器とも言う。）13a、アーム14a、サイドステー15a、マスト押さえ金具17a、及び仰角調整部18aを有する市販のアンテナである。
尚、パラボラアンテナには反射板12aとアーム14aの基部とが一体的に形成されたものもあり、この場合にはサイドステー15aは用いられない。
【０００８】
マスト押さえ金具17aは、パラボラアンテナ11aをアンテナマスト19に固定するための金具である。
アーム14aはパラボラアンテナ11aとコンバータ13aとの位置関係を固定する部材であり、サイドステー15aはコンバータ13aの風等によるブレを防止する部材である。
コンバータ13aは、フィードホーンと、ガンダイオードと、アンプとで構成される。フィードホーンは、放物面を有する反射板12aの焦点に配置され、反射板12aで反射された10GHz帯の電波を受信する。ガンダイオードは、受信する電波の周波数よりも中間周波数分だけ低い周波数を発信する局部発振器として機能する。
フィードホーン内で受信した電波とガンダイオードで発振した高周波の信号とで唸り現象が生じて1GHz帯の中間周波数の高周波の信号に変換される。変換された信号は振幅が小さいのでそのまま同軸ケーブルでテレビジョン受像器に出力しても視聴できない。
【０００９】
仰角調整部18aは、反射板12aの仰角を衛星放送及び通信衛星に合わせるための部材である。反射板12aの方位角についてはマスト押さえ金具17aで調整する。
【００１０】
この種のパラボラアンテナ11aを用いてＢＳ放送やＣＳ放送を視聴した場合、冬季には図１４に示すような積雪が生じることがある。
図１４は、パラボラアンテナ11aの反射板12a、アーム14a、コンバータ13a、及びアンテナマスト19が積雪した状態を示す図である。
通常、パラボラアンテナ11aの反射板12aに積雪があると、電波が雪で乱反射してコンバータ13aにはほとんど到達できなくなり、ＢＳ放送やＣＳ放送を視聴できなくなる。
かかる問題点の解決を図った例として、特許文献１、２がある。
【先行技術文献】
【特許文献】
【００１１】
【特許文献１】特開平１０−２６１９０８号公報
【特許文献２】実開平  １−１４６６０５号公報
【００１２】
特許文献１に記載の発明は、パラボラアンテナ用融雪装置に関する発明であり、具体的には、パラボラアンテナに貼り付けた断熱材と、その上に貼り付けた、銅、アルミニウム、ニッケル、銅合金、アルミニウム合金またはニッケル合金の箔からなる発熱体と、その上に貼り付けた表面保護材とを有し、発熱体の発熱でパラボラアンテナに付着した雪を融かすようにしたものである。
【００１３】
特許文献２に記載の考案は、融雪型リフレクターに関する考案であり、具体的には、衛星放送受信用パラボラアンテナの電波反射面の裏面にシート状ヒーターを具備したものである。
【考案の概要】
【考案が解決しようとする課題】
【００１４】
しかしながら、特許文献１に記載の発明を用いたパラボラアンテナは高価であり、特許文献２に記載の発明は、経年変化によりシート状ヒーターが反射板から脱落するという問題も同時に発生していた。
【００１５】
本考案は、上記課題に鑑みてなされたもので、低コストでヒーターの脱落がないパラボラアンテナの提供を目的とする。
【課題を解決するための手段】
【００１６】
かかる目的を達成するために、本考案にかかるパラボラアンテナは、アンテナマストに固定されるパラボラアンテナ本体と、前記パラボラアンテナ本体の反射板を加熱する水棲動物用のヒーターと、前記アンテナマストから前記反射板の背面中央に前記ヒーターが位置するように固定する固定手段と、を備えたパラボラアンテナであって、前記ヒーターは、第一のガラス管内に密閉された発熱手段と、第二のガラス管内の先端部で前記発熱手段の温度を検知する温度検知手段と、金属箔で覆われた前記第二のガラス管の胴部で前記温度検知手段からの検知信号に基づいて前記発熱手段の温度を制御する温度制御手段と、前記第一のガラス管と前記第二のガラス管とが平行になるように保持する基部と、複数の開口部が形成され、前記第一のガラス管と前記第二のガラス管とを前記基部から先端部まで覆う、開閉自在な筐体と、を有し、前記固定手段は、湾曲部の内径が前記アンテナマストの外径に等しく、前記Ｕボルトの前記湾曲部で前記アンテナマストを挟むように配置されるＵボルトと、一対の開口部が前記Ｕボルトの両ネジ部を貫通するように配置される楕円プレートと、前記楕円プレートを前記アンテナマストに固定するナットと、少なくとも四隅に貫通孔が形成され、前記Ｕボルトの両ネジ部が一方の辺側の貫通孔を貫通した状態でナットによって固定され、前記ヒーターの筐体を、前記第一のガラス管と前記第二のガラス管とが水平になるように他方の辺側の貫通孔を貫通した状態で前記筐体にナットによって固定される矩形プレートと、を有することを特徴とする。
【考案の効果】
【００１７】
本考案によれば、低コストでヒーターの脱落がないパラボラアンテナの提供が可能となる。
【図面の簡単な説明】
【００１８】
【図１】本考案にかかるパラボラアンテナの側面図である。
【図２】図１に示したパラボラアンテナ10のヒーター40近傍の拡大平面図である。
【図３】矩形プレート30の正面図である。
【図４】図２の矢印P1方向の矢視図である。
【図５】図２の矢印P2方向の矢視図である。
【図６】図５に示した筐体41内から発熱手段51及び温度制御手段52を外した状態を示す図である。
【図７】図６に示した筐体から矩形プレート30を取り外した状態を示す図である。
【図８】図４に示した筐体41から矩形プレート30を取り外した状態を示す図である。
【図９】図８の裏側を示す図である。
【図１０】図５に示した筐体41に収容されていた発熱手段51及び温度制御手段52の外観図である。
【図１１】発熱手段51及び温度制御手段52の内部構成図である。
【図１２】図１１に示した発熱手段51及び温度制御手段52の回路図の一例である。
【図１３】オフセットタイプのパラボラアンテナ11aの一例を示す側面図である。
【図１４】図１３に示したパラボラアンテナ11aに積雪が生じた場合の側面図である。
【考案を実施するための形態】
【００１９】
図１は、本考案にかかるパラボラアンテナの側面図である。
パラボラアンテナ10は、市販のパラボラアンテナ本体11と、固定手段20と、パラボラアンテナ本体11の反射板12を加熱する市販の水棲動物用のヒーター40と、を有する。水棲動物用のヒーター40としては、例えば、亀用のヒーター40が挙げられるが、本発明はこれに限定されるものではなく、他の水棲動物用（メダカ、金魚、フナ等）のヒーターであってもよい。ヒーター40の出力は40〜55W程度が好ましい。ヒーター40のサイズは横幅11.5cm程度、高さ4cm程度、奥行き3cm程度である。
【００２０】
パラボラアンテナ本体11は、反射板12、コンバータ（一次放射器とも言う。）13、アーム14、サイドステー15、マスト押さえ金具17、及び仰角調整部18を有する。
ヒーター40は、固定手段20によって反射板12の背面上部に位置するように固定されている。また、ヒーター40は、パラボラアンテナ本体11の仰角の大きさに応じて固定手段20の位置を調整して、ヒーター40を後退（図では左側に移動）させることができる。
【００２１】
図２は、図１に示したパラボラアンテナ10のヒーター40近傍の拡大平面図である。図３は、矩形プレート30の正面図である。
ヒーター40をアンテナマスト19に固定する固定手段20は、Ｕボルト21、楕円プレート22、樹脂製の矩形プレート30、ボルト、ナット23、及びワッシャ24を有する。
【００２２】
Ｕボルト21は、湾曲部21aの内径がアンテナマスト19の外径に等しく、湾曲部21aでアンテナマスト19を挟むように配置される。Ｕボルト21の両ネジ部21bには、楕円プレート22が、楕円プレート22の一対の開口部を貫通するように配置され、ワッシャ24及びナット23で固定されている。Ｕボルト21の両ネジ部21bの端部は、矩形プレート30の少なくとも四隅に形成された貫通孔31（31a,31b,31b,31c,31d）のうちの一方の辺側（図では下辺）の貫通孔31a,31bを貫通した状態でそれぞれ一対のナット23で挟むように固定されている。
【００２３】
矩形プレート30は、図では18個の貫通孔31,31a,31b,31c,31dが形成されているが、限定されるものではない。また、貫通孔31の形状は円形、弓形、矩形、もしくは多角形のいずれであってもよい。
【００２４】
矩形プレート30の他方の辺側（この場合上辺）の貫通孔31c,31dはボルト及びナットによってヒーター40の樹脂製の筐体41に固定されている。
【００２５】
図４は、図２の矢印P1方向の矢視図であり、図５は、図２の矢印P2方向の矢視図である。
図４において、矩形プレート30のナット25及びワッシャ26がＵボルト21のネジ部21bに固定されている様子が示されている。筐体41には多数の開口部42が形成されている。筐体41の凹字形状の突起部43と凸字形状の突起部44とが嵌合している。突起部43と突起部44との嵌合を指の爪で外すと、筐体41は、図５に示すように二枚貝のように開閉自在である。
【００２６】
図５に示す筐体41内には、発熱手段51及び温度制御手段52が平行、かつ基部53と一体化されて内蔵されている。基部53には溝53aが形成され、筐体41の壁部と嵌合できるようになっている。
【００２７】
図６は、図５に示した筐体41内から発熱手段51及び温度制御手段52を外した状態を示す図である。
筐体41と矩形プレート30とを固定するボルト25が示されている。筐体41の右側の壁部に基部53の溝53aが嵌合する。開口部42は、図では長円形状に示されているが、限定されるものではない。また、開口部42の数は28個であるが、本考案はこれに限定されるものではない。
【００２８】
図７は、図６に示した筐体から矩形プレート30を取り外した状態を示す図である。図８は、図４に示した筐体41から矩形プレート30を取り外した状態を示す図であり、図９は、図８の裏側を示す図である。
筐体41の一方の側（図では上側）に矩形プレート30にボルトで固定するための貫通孔45が形成されていることが分かる。
【００２９】
図１０は、図５に示した筐体41に収容されていた発熱手段51及び温度制御手段52の外観図であり、図１１は、発熱手段51及び温度制御手段52の内部構成図である。
図１１に示す発熱手段51は、長尺状のマイカ（雲母とも言う。）57と、マイカ57に巻き付けられた電熱線（ニクロム線）58と、シリコーンゴムとが第一のガラス管56内に密閉されたものである。
温度制御手段52は、長手方向の長さが発熱手段51よりも短く、かつ基部53が発熱手段51からの輻射熱を遮蔽するための金属箔（例えばアルミ箔）55で被覆されている。ガラス管56内には温度制御手段52の先端部が金属箔55から露出しているのは、先端部に温度検出用の素子が内蔵されているためである。尚、第一のガラス管56と第二のガラス管59とは水平になるようにパラボラアンテナ本体11の背面中央に固定される。尚、両ガラス管56,59は、いずれも材質が石英からなっている。
【００３０】
温度制御手段52は、電子回路基板60と、粉末シリコーンとが第二のガラス管59に密閉されたものである。
【００３１】
図１２は、図１１に示した発熱手段51及び温度制御手段52の回路図の一例であるが、限定されるものではない。
発熱手段51としての電熱線H（58）と、第二のガラス管の胴部で温度制御手段52としての電子回路基板60とが示されている。
電子回路基板60は、バリスタVR、温度フューズF、発熱手段51の温度を検知する検知手段としてのNTC（negative temperature coefficient）サーミスタRt1、発熱手段51の温度を検知する検知手段としてのPTC（positive temperature coefficient）サーミスタRt2、コンデンサC1,C2、抵抗器R1,R2、半固定抵抗器R3、ダイオードD1、トリガダイオードD2、双方向サイリスタD3を有する。
【００３２】
電子回路基板60の一方の入力端60aと他方の入力端60bとの間には、雷による過渡的な異常高電圧から回路を保護するための半導体素子であるバリスタVRが設けられている。
一方の入力端60aには温度フューズFの一端が接続され、他方の入力端60bと温度フューズFの他端との間にはバイパスコンデンサとしてのコンデンサC1の一端と一方の出力端60cが接続されている。コンデンサC1の両端にはサーミスタRt1、分圧用の抵抗器R1、及び位相制御用のコンデンサC2と、が直列接続されている。
コンデンサC2の一端と抵抗器R1との接続点には位相制御用のダイオードD1のカソードが接続され、コンデンサC2の他端にはダイオードD1のアノードが接続されている。ダイオードD1のカソードにはトリガダイオードD2の一方の端子が接続されダイオードD1のアノードには双方向サイリスタD3の一方の端子が接続されている。双方向サイリスタD3のゲートはトリガダイオードD2の他方の端子と、半固定抵抗器R3の一端に接続されている。半固定抵抗器R3の他端にはサーミスタRt2の一端が接続されサーミスタRt2の他端には抵抗器R2の一端が接続され、抵抗器R2の他端は、双方向ダイオードD3の他方の端子と他方の出力端60dに接続されている。両出力端60c,60dには電熱線58が接続されている。
【００３３】
電子回路基板60は、電源ケーブル54に接続されたプラグを商用電源（例えば、50Hz、100ボルト）のコンセントに接続すると、入力端60a、温度フューズF、出力端60c、電熱線58、出力端60d、双方向ダイオードD3、及び入力端60bへと流れ、電熱線58が発熱し、発熱による温度はサーミスタRt1,Rt2によって感知される。
【００３４】
サーミスタRt1,Rt2によって感知される温度が高くなると、サーミスタRt1の抵抗値が低くなることにより、電熱線58への電流を減少させると共に、サーミスタRt2の抵抗値が高くなることにより、トリガダイオードD2から双方向ダイオードD3の位相を制御して双方向ダイオードD3の出力電圧を低下させる。これにより電熱線の発熱量を減少させる。
【００３５】
サーミスタRt1,Rt2によって感知される温度が低くなると、サーミスタRt1の抵抗値が高くなることにより、電熱線58への電流を増加させると共に、サーミスタRt2の抵抗値が低くなることにより、トリガダイオードD2から双方向ダイオードD3の位相を制御して双方向ダイオードD3の出力電圧を増加させる。これにより電熱線の発熱量を増加させる。
尚、半固定抵抗器R3及び抵抗器R2は初期設定用のための抵抗器である。
【００３６】
このようなヒーター40を固定手段でパラボラアンテナ本体11の反射板12の背面に固定することにより、反射板12に付着した雪を溶かすことができ、しかもヒーター40が反射板12から剥がれることがない。このヒーター40は市販品であるため、低コストでヒーターの脱落がないパラボラアンテナの提供が実現できる。
例えば、石川県羽昨市では55Wにて10分から20分程度の加熱で視聴困難な積雪に対し、融雪が認められ視聴可能となった。
【００３７】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。例えば、上述した実施の形態では、パラボラアンテナがオフセットタイプの場合で説明したが、本考案はこれに限定されるものではなく、センターフィールドタイプの場合であっても同様の効果が得られる。また、上述した実施の形態では、ボルト、ナット、及びワッシャを用いた場合で説明したが、ワッシャに加え、スプリングワッシャを用いてもよい。
【符号の説明】
【００３８】
１０、１１ａ    パラボラアンテナ
１１    パラボラアンテナ本体
１２、１２ａ    反射板
１３、１３ａ    コンバータ
１４、１４ａ    アーム
１５、１５a    サイドステー
１６    同軸ケーブル
１７、１７a    マスト押さえ金具
１８、１８a    仰角調整部
１９    アンテナマスト
２０    固定手段
２１    Ｕボルト
２２    楕円プレート
３０    矩形プレート
４０    ヒーター
４１    筐体
４２    開口部
５１    発熱手段
５２    温度制御手段
５３    基部
６０    電子回路基板
【図１】
0003206129.tif 000003
【図２】
0003206129.tif 000004
【図３】
0003206129.tif 000005
【図４】
0003206129.tif 000006
【図５】
0003206129.tif 000007
【図６】
0003206129.tif 000008
【図７】
0003206129.tif 000009
【図８】
0003206129.tif 000010
【図９】
0003206129.tif 000011
【図１０】
0003206129.tif 000012
【図１１】
0003206129.tif 000013
【図１２】
0003206129.tif 000014
【図１３】
0003206129.tif 000015
【図１４】
0003206129.tif 000016